【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
第１のインクと第２のインクを含む複数種類のインクを記録手段から吐出して記録媒体に画像を記録するためのデータ処理を行う画像処理装置において、
少なくとも第１の記録動作と第２の記録動作を含む複数の記録動作の中から、前記記録手段を用いて記録を行うための記録動作を決定する決定手段と、
前記複数種類のインクのそれぞれの多値データを取得する取得手段と、
前記決定手段が決定した記録動作に応じて、前記複数種類のインクのそれぞれについて、画素の位置に応じた閾値の配列を定める閾値マトリクスに配置された閾値の中から閾値取得手段が取得した閾値と、前記多値データとを比較することにより、ドットを記録するための量子化データを生成する生成手段と、
前記生成手段によって生成された前記量子化データを、前記複数種類のインクを前記記録手段が吐出する際に利用されるために出力する手段と
を備え、
前記決定手段が決定した記録動作が前記第２の記録動作である場合、前記生成手段は第１の閾値マトリクスから取得した閾値を用いて前記第１のインクのための量子化データを生成し、前記第１の閾値マトリクスとは閾値の配列が異なる第２の閾値マトリクスから取得した閾値を用いて前記第２のインクのための量子化データを生成し、
前記決定手段が決定した記録動作が前記第１の記録動作である場合、前記生成手段は同一の閾値マトリクスから取得した閾値を用いて、前記第１のインクのための量子化データと前記第２のインクのための量子化データを生成することを特徴とする画像処理装置。
【請求項２】
前記決定手段が決定した記録動作が前記第１の記録動作である場合、前記生成手段は、第３の閾値マトリクスから取得した閾値を用いて前記第１のインクのための量子化データを生成し、前記第３の閾値マトリクスの閾値と前記第２のインクのための多値データの差をオフセットした後に比較することによって、前記第２のインクのための量子化データを生成することを特徴とする請求項１に記載の画像処理装置。
【請求項３】
前記決定手段が決定した記録動作が前記第１の記録動作である場合、
前記生成手段は、前記第３の閾値マトリクスから取得した閾値を用いて前記第１のインクのための量子化データを生成し、前記第１のインクのための多値データに基づいて前記第３の閾値マトリクスをオフセットし、当該オフセットした前記第３の閾値マトリクスから取得される閾値を用いて前記第２のインクのための量子化データを生成することを特徴とする請求項２に記載の画像処理装置。
【請求項４】
前記生成手段は、前記第３の閾値マトリクスより前記取得手段が取得した前記第１のインクのための多値データを減算することによって前記第３の閾値マトリクスをオフセットすることを特徴とする請求項３項に記載の画像処理装置。
【請求項５】
前記決定手段が決定した記録動作が前記第１の記録動作である場合、
前記生成手段は、前記第３の閾値マトリクスから取得した閾値を用いて前記第１のインクのための量子化データを生成し、前記第１のインクのための多値データに基づいて前記第２のインクのための多値データをオフセットし、前記第３の閾値マトリクスを用いて、前記オフセットした前記第２のインクのための多値データを量子化することを特徴とする請求項２に記載の画像処理装置。
【請求項６】
前記第３の閾値マトリクスはブルーノイズ特性を有していることを特徴とする請求項２から５のいずれか１項に記載の画像処理装置。
【請求項７】
前記第１の閾値マトリクスおよび前記第２の閾値マトリクスのそれぞれは、中間調の多値データに対する量子化処理で網点形状のドット配置が提供されるような閾値の配列を定める閾値マトリクスであることを特徴とする請求項１から６のいずれか１項に記載の画像処理装置。
【請求項８】
前記第１の記録動作は写真用紙のための記録動作であり前記第２の記録動作は普通紙のための記録動作であることを特徴とする請求項１から７のいずれか１項に記載の画像処理装置。
【請求項９】
前記第１の記録動作は前記記録手段と前記記録媒体の相対走査がＮ回以上のマルチパス記録であり、前記第２の記録動作は前記相対走査がＮ回未満のマルチパス記録または１パス記録であることを特徴とする請求項１から７のいずれか１項に記載の画像処理装置。
【請求項１０】
前記第１の記録動作における前記記録手段と前記記録媒体の距離は所定の距離であり、前記第２の記録動作における前記距離は前記所定の距離よりも大きいことを特徴とする請求項１から７のいずれか１項に記載の画像処理装置。
【請求項１１】
前記第１の記録動作は前記記録媒体の片面にのみ記録する片面記録動作であり、前記第２の記録動作は、前記記録媒体の両面に記録する両面記録動作であることを特徴とする請求項１から７のいずれか１項に記載の画像処理装置。
【請求項１２】
前記第１の記録動作は前記記録媒体の両面に記録する両面記録動作における前記記録媒体の表面への記録動作であり、前記第２の記録動作は前記両面記録動作において表面が記録されている記録媒体の裏面への記録動作であることを特徴とする請求項１から７のいずれか１項に記載の画像処理装置。
【請求項１３】
前記第１の記録動作は前記記録媒体に第１のサイズのドットを記録する記録動作であり、前記第２の記録動作は前記第１のサイズよりも小さい第２のサイズのドットを記録する記録動作であることを特徴とする請求項１から７のいずれか１項に記載の画像処理装置。
【請求項１４】
前記第１の記録動作は、前記記録媒体と前記記録手段の相対走査の速度が所定の速度である記録動作であり、前記第２の記録動作は前記相対走査の速度が前記所定の速度よりも大きい記録動作であることを特徴とする請求項１から７のいずれか１項に記載の画像処理装置。
【請求項１５】
前記第１の記録動作は前記記録手段が前記第１のインクと前記第２のインクを第１の吐出速度で吐出する記録動作であり、前記第２の記録動作は前記記録手段が前記第１のインクと前記第２のインクを前記第１の吐出速度よりも遅い第２の吐出速度で吐出する記録動作であることを特徴とする請求項１から７のいずれか１項に記載の画像処理装置。
【請求項１６】
前記第１の記録動作は前記記録媒体に対し前記記録手段を片方向に走査させる記録動作であり、前記第２の記録動作は前記記録媒体に対し前記記録手段を双方向に走査させる記録動作であることを特徴とする請求項１から７のいずれか１項に記載の画像処理装置。
【請求項１７】
前記第１の記録動作は前記記録媒体の辺に余白を設けて記録する余白有り記録動作であり、前記第２の記録動作は前記記録媒体の辺に余白を設けずに記録する余白無し記録動作であることを特徴とする請求項１から７のいずれか１項に記載の画像処理装置。
【請求項１８】
前記第１の記録動作は記録装置の振動が記録位置ずれに影響する程度が第１の程度である記録動作であり、前記第２の記録動作は前記程度が前記第１の程度よりも大きい記録動作であることを特徴とする請求項１から７のいずれか１項に記載の画像処理装置。
【請求項１９】
前記第１の記録動作は前記記録手段が前記記録媒体に対して走査を開始する開始位置の変動の回数が第１の回数である記録動作であり、前記第２の記録動作は前記回数が前記第１の回数より多い記録動作であることを特徴とする請求項１から７のいずれか１項に記載の画像処理装置。
【請求項２０】
原稿を読み取るスキャナデバイスを更に備え、
前記第１の記録動作は前記スキャナデバイスによる読み取り動作を行わずに前記記録手段による記録を行う記録動作であり、前記第２の記録動作は前記スキャナデバイスによる読み取り動作を行いながら前記記録手段による記録を行う記録動作であることを特徴とする請求項１から７のいずれか１項に記載の画像処理装置。
【請求項２１】
前記生成手段は、前記第１の記録動作および前記第２の記録動作において、前記多値データを３値以上の量子化データに量子化することを特徴とする請求項１ないし２０のいずれか１項に記載の画像処理装置。
【請求項２２】
前記第１のインクと前記第２のインクは、互いに異なる色を有していることを特徴とする請求項１から２１のいずれか１項に記載の画像処理装置。
【請求項２３】
前記記録手段を更に備えることを特徴とする請求項１ないし２２のいずれか１項に記載の画像処理装置。
【請求項２４】
第１のインクと第２のインクを含む複数種類のインクを記録手段から吐出して記録媒体に画像を記録するためのデータ処理を行う画像処理方法であって、
少なくとも第１の記録動作と第２の記録動作を含む複数の記録動作の中から、前記記録手段を用いて記録を行うための記録動作を決定する決定工程と、
前記複数種類のインクのそれぞれの多値データを取得する取得工程と、
前記決定工程で決定された記録動作に応じて、前記複数の種類のインクのそれぞれについて、画素の位置に応じた閾値の配列を定める閾値マトリクスに配置され閾値取得手段が取得した閾値と、前記多値データとを比較することにより、ドットを記録するための量子化データを生成する生成工程と、
前記生成工程によって生成され、前記記録手段が前記複数種類のインクを吐出するために利用される前記量子化データを出力する工程と
を有し、
前記決定工程で決定された記録動作が前記第２の記録動作である場合、前記生成工程は第１の閾値マトリクスから取得した閾値を用いて前記第１のインクのための量子化データを生成し、前記第１の閾値マトリクスとは閾値の配列が異なる第２の閾値マトリクスから取得した閾値を用いて前記第２のインクのための量子化データを生成し、
前記決定工程で決定された記録動作が前記第１の記録動作である場合、前記生成工程は同じ閾値マトリクスから取得した閾値を用いて、前記第１のインクのための量子化データと前記第２のインクのための量子化データを生成することを特徴とする画像処理方法。
【請求項２５】
前記決定工程で決定された記録動作が前記第１の記録動作である場合、前記生成工程は、第３の閾値マトリクスから取得した閾値を用いて前記第１のインクのための量子化データを生成し、前記第３の閾値マトリクスの閾値と前記第２のインクのための多値データの差をオフセットした後に比較することによって、前記第２のインクのための量子化データを生成することを特徴とする請求項２４に記載の画像処理方法。
【請求項２６】
前記決定工程で決定された記録動作が前記第１の記録動作である場合、
前記生成工程は、前記第３の閾値マトリクスから取得した閾値を用いて前記第１のインクのための量子化データを生成し、前記第１のインクのための多値データに基づいて前記第３の閾値マトリクスをオフセットし、当該オフセットした前記第３の閾値マトリクスから取得される閾値を用いて前記第２のインクのための量子化データを生成することを特徴とする請求項２５に記載の画像処理方法。
【請求項２７】
前記決定工程で決定された記録動作が前記第１の記録動作である場合、前記生成工程は、前記第３の閾値マトリクスから取得した閾値を用いて前記第１のインクのための量子化データを生成し、前記第１のインクのための多値データに基づいて前記第２のインクのための多値データをオフセットし、前記第３の閾値マトリクスを用いて、前記オフセットした前記第２のインクのための多値データを量子化することを特徴とする請求項２５に記載の画像処理方法。
【手続補正２】
【補正対象書類名】明細書
【補正対象項目名】０００８
【補正方法】変更
【補正の内容】
【０００８】
そのために本発明は、第１のインクと第２のインクを含む複数種類のインクを記録手段から吐出して記録媒体に画像を記録するためのデータ処理を行う画像処理装置において、少なくとも第１の記録動作と第２の記録動作を含む複数の記録動作の中から、前記記録手段を用いて記録を行うための記録動作を決定する決定手段と、前記複数種類のインクのそれぞれの多値データを取得する取得手段と、前記決定手段が決定した記録動作に応じて、前記複数種類のインクのそれぞれについて、画素の位置に応じた閾値の配列を定める閾値マトリクスに配置された閾値の中から閾値取得手段が取得した閾値と、前記多値データとを比較することにより、ドットを記録するための量子化データを生成する生成手段と、前記生成手段によって生成された前記量子化データを、前記複数種類のインクを前記記録手段が吐出する際に利用されるために出力する手段とを備え、前記決定手段が決定した記録動作が前記第２の記録動作である場合、前記生成手段は第１の閾値マトリクスから取得した閾値を用いて前記第１のインクのための量子化データを生成し、前記第１の閾値マトリクスとは閾値の配列が異なる第２の閾値マトリクスから取得した閾値を用いて前記第２のインクのための量子化データを生成し、前記決定手段が決定した記録動作が前記第１の記録動作である場合、前記生成手段は同一の閾値マトリクスから取得した閾値を用いて、前記第１のインクのための量子化データと前記第２のインクのための量子化データを生成することを特徴とする。